【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
ユーザに関連するモノのインターネット(IoT)ネットワークにおけるIoTデバイス用のクラウドベースサービスを発見するための方法であって、
IoTゲートウェイデバイスにおいて、前記ユーザに関連する前記IoTネットワークにおける前記IoTデバイスに関する情報を発見するステップであって、前記発見される情報は、前記IoTネットワークにおける前記IoTデバイスに関連する1つまたは複数のデバイスクラスを少なくとも含むステップと、
前記IoTゲートウェイデバイスにおいて、1つまたは複数のクラウドベースサービスをホスティングする1つまたは複数のクラウドサービスパブリッシャとの対話を通じて、前記IoTネットワークにおける前記IoTデバイスに関連する前記1つまたは複数のデバイスクラスに利用可能な前記1つまたは複数のクラウドベースサービスを発見するステップと、
前記IoTゲートウェイデバイスによって、前記IoTネットワーク内で前記発見されたクラウドベースサービスを提示するステップとを含み、
前記1つまたは複数のクラウドベースサービスは、前記1つまたは複数のクラウドベースサービスに必要な1つまたは複数の必要なデバイス機能、前記1つまたは複数のクラウドベースサービスに関する1つまたは複数の任意のデバイス機能、または前記1つまたは複数のクラウドベースサービスを消費することを目的として構成されたIoTデバイスに関連する特定の機種および型式を示すメタデータがさらにタグ付けされる、
方法。
【請求項２】
前記IoTネットワークにおける前記IoTデバイスに関連する前記発見されたクラウドベースサービスおよび1つまたは複数の機能をタグ付けするのに使用されるメタデータに従って前記IoTネットワーク内で提示される前記発見されたクラウドベースサービスをフィルタリングするステップをさらに含む、請求項1に記載の方法。
【請求項３】
前記IoTネットワーク内で提示された前記発見されたクラウドベースサービスのうちの第1の発見されたクラウドベースサービスを呼び出すための要求に応答して少なくとも前記第1のクラウドベースサービスを呼び出すステップをさらに含む、請求項1に記載の方法。
【請求項４】
前記第1のクラウドベースサービスを呼び出すステップは、
前記第1のクラウドベースサービスに関連する任意の必要なデータをフェッチするために前記IoTネットワークにおける前記IoTデバイスのうちの少なくとも1つに接続するステップと、
前記第1のクラウドベースサービスをホスティングする前記クラウドサービスパブリッシャ、前記第1のクラウドベースサービスを開発したクラウドサービスプロバイダ、またはそれらの組合せのうちの1つに前記フェッチされたデータを渡すステップとを含む、請求項3に記載の方法。
【請求項５】
前記ユーザは、前記IoTネットワークにおいて提示された前記第1のクラウドベースサービスを呼び出すための前記要求を開始する、請求項3に記載の方法。
【請求項６】
前記IoTネットワークにおける前記IoTデバイスのうちの少なくとも1つは、前記第1のクラウドベースサービスを呼び出すための前記要求を開始する、請求項3に記載の方法。
【請求項７】
前記少なくとも1つのIoTデバイスによって要求された前記第1のクラウドベースサービスをアクティブ化する前に前記ユーザからの承認を要求するステップをさらに含む、請求項6に記載の方法。
【請求項８】
前記第1のクラウドベースサービスが無料であるかまたはコストがしきい値よりも低いと判定したことに応答して前記少なくとも1つのIoTデバイスによって要求された前記第1のクラウドベースサービスを自動的にアクティブ化するステップをさらに含む、請求項6に記載の方法。
【請求項９】
前記IoTネットワークにおける前記IoTデバイスに関する前記発見された情報は、少なくとも前記IoTネットワークにおける前記IoTデバイスに関連する使用状況情報、前記IoTネットワークにおける前記IoTデバイスに関連する状態情報、前記ユーザに関連するプロファイル、またはそれらの組合せをさらに含む、請求項1に記載の方法。
【請求項１０】
前記1つまたは複数のクラウドベースサービスは、前記IoTネットワークにおける前記IoTデバイスに関連する前記使用状況情報、前記IoTネットワークにおける前記IoTデバイスに関連する前記状態情報、前記ユーザに関連する前記プロファイル、またはそれらの組合せのうちの少なくとも1つに対応するメタデータがタグ付けされる、請求項9に記載の方法。
【請求項１１】
前記IoTネットワークにおいて提示された前記クラウドベースサービスを選択するのに使用される基準を決定するために前記IoTネットワークにおける前記IoTデバイスが互いに共同するのを可能にするステップをさらに含む、請求項1に記載の方法。
【請求項１２】
モノのインターネット(IoT)ゲートウェイデバイスであって、
IoTネットワークにおける1つまたは複数のIoTデバイスに関する情報を発見するための手段であって、前記発見される情報は、前記IoTネットワークにおける前記IoTデバイスに関連する1つまたは複数のデバイスクラスを少なくとも含む手段と、
1つまたは複数のクラウドベースサービスをホスティングするように構成された1つまたは複数のクラウドサービスパブリッシャとの対話を通じて、前記IoTネットワークにおける前記1つまたは複数のIoTデバイスに関連する前記1つまたは複数のデバイスクラスに利用可能な前記1つまたは複数のクラウドベースサービスを発見するための手段と、
前記発見されたクラウドベースサービスを前記IoTネットワーク内で提示するための手段とを備え、
前記1つまたは複数のクラウドベースサービスは、前記1つまたは複数のクラウドベースサービスに必要な1つまたは複数の必要なデバイス機能、前記1つまたは複数のクラウドベースサービスに関する1つまたは複数の任意のデバイス機能、または前記1つまたは複数のクラウドベースサービスを消費することを目的として構成されたIoTデバイスに関連する特定の機種および型式を示すメタデータがさらにタグ付けされる、
IoTゲートウェイデバイス。
【請求項１３】
前記IoTネットワークにおける前記１つまたは複数の IoT デバイスに関する情報を発見し、1つまたは複数のクラウドベースサービスをホスティングするように構成された1つまたは複数のクラウドサービスパブリッシャとの対話を通じて、前記IoTネットワークにおける前記IoTデバイスに関連する前記1つまたは複数のデバイスクラスに利用可能な前記1つまたは複数のクラウドベースサービスを発見し、前記IoTネットワーク内で前記発見されたクラウドベースサービスを提示するように構成された１つまたは複数のプロセッサと、
前記1つまたは複数のプロセッサに接続されたメモリと、
を備える、請求項12に記載のIoTゲートウェイデバイス。
【請求項１４】
前記IoTネットワークにおける前記IoTデバイスに関連する前記発見されたクラウドベースサービスおよび1つまたは複数の機能をタグ付けするのに使用されるメタデータに従って前記IoTネットワーク内で提示される前記発見されたクラウドベースサービスをフィルタリングするための手段をさらに備える、請求項12に記載のIoTゲートウェイデバイス。
【請求項１５】
コンピュータ実行可能命令が記録されたコンピュータ可読記憶媒体であって、モノのインターネット(IoT)ネットワークにおけるゲートウェイデバイス上で前記コンピュータ実行可能命令を実行することによって、前記ゲートウェイデバイスに、
前記IoTネットワークにおける1つまたは複数のIoTデバイスに関する情報を発見することであって、前記発見される情報は、前記IoTネットワークにおける前記1つまたは複数のIoTデバイスに関連する1つまたは複数のデバイスクラスを少なくとも含むことと、
1つまたは複数のクラウドベースサービスをホスティングするように構成された1つまたは複数のクラウドサービスパブリッシャとの対話を通じて、前記IoTネットワークにおける前記1つまたは複数のIoTデバイスに関連する前記1つまたは複数のデバイスクラスに利用可能な前記1つまたは複数のクラウドベースサービスを発見することと、
前記発見されたクラウドベースサービスを前記IoTネットワーク内で提示することとを行わせるコンピュータ可読記憶媒体であって、
前記1つまたは複数のクラウドベースサービスは、前記1つまたは複数のクラウドベースサービスに必要な1つまたは複数の必要なデバイス機能、前記1つまたは複数のクラウドベースサービスに関する1つまたは複数の任意のデバイス機能、または前記1つまたは複数のクラウドベースサービスを消費することを目的として構成されたIoTデバイスに関連する特定の機種および型式を示すメタデータがさらにタグ付けされる、
コンピュータ可読記憶媒体。